(57)【特許請求の範囲】
【請求項１】
ダイパッドと、
前記ダイパッドの裏面に形成された第１ディンプルと、
前記第１ディンプルの横領域の前記ダイパッドの裏面に形成された第２ディンプルと
を備えたリードフレームであって、
前記第１ディンプルは、
一方の対向する２辺に備えられ、深さ方向に傾斜する第１傾斜側面と、
他方の対向する２辺に備えられ、深さ方向に垂直に起立する側面が前記第２ディンプルによって変形されて形成された、前記第１傾斜側面と逆方向の深さ方向に傾斜する逆傾斜側面とを有する横置き台形柱形状で形成され、
前記第２ディンプルは、前記第１ディンプルの逆傾斜側面と対向して配置された第２傾斜側面を有し、
前記ダイパッドの表面が半導体素子搭載面であることを特徴とするリードフレーム。
【請求項２】
隣り合う複数の前記第１ディンプルの長手方向が同一方向を向いて配置されていることを特徴とする請求項１に記載のリードフレーム。
【請求項３】
前記ダイパッドに形成された複数の前記第１ディンプルにおいて、前記第１ディンプルの配置角度が異なっており、隣り合う前記第１ディンプルは、それらの長手方向の向きが直交するように配置されており、
前記長手方向は、前記一方の対向する２辺を結ぶ方向であることを特徴とする請求項１に記載のリードフレーム。
【請求項４】
前記第１ディンプルの前記逆傾斜側面は前記他方の対向する２辺の一部に配置され、前記他方の対向する２辺の端部側に起立側面が配置されていることを特徴とする請求項１乃至３のいずれか一項に記載のリードフレーム。
【請求項５】
ダイパッドと、
前記ダイパッドの裏面に形成された第１ディンプルと、
前記第１ディンプルの横領域の前記ダイパッドの裏面に形成された第２ディンプルと
を備えたリードフレームであって、
前記第１ディンプルは、
一方の対向する２辺に備えられ、深さ方向に傾斜する第１傾斜側面と、
他方の対向する２辺に備えられ、深さ方向に垂直に起立する側面が前記第２ディンプルによって変形されて形成された、前記第１傾斜側面と逆方向の深さ方向に傾斜する逆傾斜側面とを有する横置き台形柱形状で形成され、
前記第２ディンプルは、前記第１ディンプルの逆傾斜側面と対向して配置された第２傾斜側面を有する前記リードフレームと、
前記ダイパッドの表面の半導体素子搭載面に実装された半導体素子と、
前記ダイパッドの外側に並んで配置された複数のリードと、
前記半導体素子と前記リードとを接続するワイヤと、
前記リードが露出するように、前記ダイパッドの両面、前記半導体素子及び前記ワイヤを封止する樹脂部とを有することを特徴とする半導体装置。
【請求項６】
第１のプレス加工により、ダイパッドの裏面に、一方の対向する２辺に深さ方向に傾斜する第１傾斜側面を備え、他方の対向する２辺に深さ方向に起立する起立側面を備えた矩形状の第１ディンプルを形成する工程と、
第２のプレス加工により、前記第１ディンプルの前記起立側面の横領域に、深さ方向に傾斜する第２傾斜側面を備えた第２ディンプルの前記第２傾斜側面が配置されるように、前記ダイパッドの裏面に前記第２ディンプルを形成することにより、前記第１ディンプルの前記起立側面を前記第１傾斜側面と逆方向に傾斜する逆傾斜側面とする工程とを有し、
前記ダイパッドの表面が半導体素子搭載面であることを特徴とするリードフレームの製造方法。
【請求項７】
前記第１ディンプルの形状は、横置き台形柱形状又は横置き三角柱形状であり、
前記第２ディンプルの形状は、四角錐を上下反転させた形状であることを特徴とする請求項６に記載のリードフレームの製造方法。
【請求項８】
前記ダイパッドに形成される複数の前記第１ディンプルにおいて、前記第１ディンプルの配置角度が異なっており、隣り合う前記第１ディンプルは、それらの長手方向の向きが直交するように配置されており、
前記長手方向は、前記一方の対向する２辺を結ぶ方向であることを特徴とする請求項７に記載のリードフレームの製造方法。
【請求項９】
前記逆傾斜側面は、前記起立側面の一部が変形して形成され、前記他方の対向する２辺の中央部に形成されることを特徴とする請求項６乃至８のいずれか一項に記載のリードフレームの製造方法。
【請求項１０】
第１のプレス加工により、ダイパッドの裏面に、一方の対向する２辺に深さ方向に傾斜する第１傾斜側面を備え、他方の対向する２辺に深さ方向に起立する起立側面を備えた矩形状の第１ディンプルを形成する工程と、
第２のプレス加工により、前記第１ディンプルの前記起立側面の横領域に、深さ方向に傾斜する第２傾斜側面を備えた第２ディンプルの前記第２傾斜側面が配置されるように、前記ダイパッドの裏面に前記第２ディンプルを形成することにより、前記第１ディンプルの前記起立側面を前記第１傾斜側面と逆方向に傾斜する逆傾斜側面とする工程と
を有する方法でリードフレームを得る工程と、
前記ダイパッドの表面の半導体素子搭載面に半導体素子を実装する工程と、
前記半導体素子と前記リードフレームのリードとをワイヤで接続する工程と、
前記リードが露出するように、前記ダイパッドの両面、前記半導体素子及び前記ワイヤを樹脂部で封止する工程と、
前記リードフレームの枠部から前記ダイパッド及び前記リードを切り離す工程とを有することを特徴とする半導体装置の製造方法。
【発明の詳細な説明】
【技術分野】
【０００１】
リードフレーム及びその製造方法と半導体装置及びその製造方法に関する。
【背景技術】
【０００２】
従来、リードフレームを用いた半導体パッケージにおいて、ダイパッドの上に半導体素子が実装され、半導体素子と複数のリードとがワイヤで接続され、ダイパッドの両面、半導体素子及びワイヤが封止樹脂によって封止されたものがある。
【０００３】
そのような半導体パッケージでは、ダイパッドの裏面の封止樹脂の密着性を向上させるために、ダイパッドの裏面に多数のディンプルが設けられている。ダイパッドの裏面に設けられるディンプルはプレス加工によって四角錐などの形状で形成されるため、ダイパッドの裏面の封止樹脂の密着性は必ずしも十分ではない。
【先行技術文献】
【特許文献】
【０００４】
【特許文献１】特開平７−１６１８９６号公報
【特許文献２】特開平７−２７３２７０号公報
【特許文献３】特開２００９−２６０２８２号公報
【発明の概要】
【発明が解決しようとする課題】
【０００５】
ダイパッドの裏面に設けられる封止樹脂の密着性を向上させることができるリードフレーム及びその製造方法と半導体装置及びその製造方法を提供することを目的とする。
【課題を解決するための手段】
【０００６】
以下の開示の一観点によれば、第１のプレス加工により、ダイパッドの裏面に、一方の対向する２辺に深さ方向に傾斜する第１傾斜側面を備え、他方の対向する２辺に深さ方向に起立する起立側面を備えた矩形状の第１ディンプルを形成する工程と、第２のプレス加工により、前記第１ディンプルの前記起立側面の横領域に、深さ方向に傾斜する第２傾斜側面を備えた第２ディンプルの前記第２傾斜側面が配置されるように、前記ダイパッドの裏面に前記第２ディンプルを形成することにより、前記第１ディンプルの前記起立側面を前記第１傾斜側面と逆方向に傾斜する逆傾斜側面とする工程とを有し、前記ダイパッドの表面が半導体素子搭載面であるリードフレームの製造方法が提供される。
【０００７】
また、その開示の他の観点によれば、ダイパッドと、前記ダイパッドの裏面に形成された第１ディンプルと、前記第１ディンプルの横領域の前記ダイパッドの裏面に形成された第２ディンプルとを備えたリードフレームであって、前記第１ディンプルは、一方の対向する２辺に備えられ、深さ方向に傾斜する第１傾斜側面と、他方の対向する２辺に備えられ、深さ方向に垂直に起立する側面が前記第２ディンプルによって変形されて形成された、前記第１傾斜側面と逆方向の深さ方向に傾斜する逆傾斜側面とを有する横置き台形柱形状で形成され、前記第２ディンプルは、前記第１ディンプルの逆傾斜側面と対向して配置された第２傾斜側面を有し、前記ダイパッドの表面が半導体素子搭載面であるリードフレームが提供される。
【発明の効果】
【０００８】
以下の開示によれば、リードフレームの製造方法では、第１のプレス加工により、ダイパッドの裏面に、一方の対向する２辺に第１傾斜側面を備え、他方の対向する２辺に起立側面を備えた矩形状の第１ディンプルを形成する。
【０００９】
次いで、第２のプレス加工により、第１ディンプルの起立側面の横領域に、第２傾斜側面を備えた第２ディンプルの第２傾斜側面が配置されるように、第２ディンプルを形成する。これにより、第１ディンプルの起立側面が第１傾斜側面と逆方向に傾斜する逆傾斜側面となる。
【００１０】
そして、ダイパッドの表面に半導体素子が実装され、ダイパッドの両面側に樹脂部が形成されて、半導体素子が封止される。
【００１１】
このとき、ダイパッドの裏面には逆傾斜側面を備えた第１ディンプルが設けられているので、アンカー効果が大きくなり、ダイパッドの裏面側の樹脂部の密着性を向上させることができる
さらに、第１ディンプルは矩形状の長手方向に傾斜側面を備えているので、第１ディンプルの長手方向から封止樹脂を流入することにより、封止樹脂をスムーズに第１ディンプルに充填することができる。
【図面の簡単な説明】
【００１２】
【図１】図１（ａ）及び（ｂ）は第１実施形態のリードフレームの製造方法を示す平面図及び断面図（その１）である。
【図２】図２は第１実施形態のリードフレームの製造方法を示す断面図及び斜視図（その２）である。
【図３】図３（ａ）〜（ｃ）は第１実施形態のリードフレームの製造方法を示す平面図及び断面図（その３）である。
【図４】図４は第１実施形態のリードフレームの製造方法を示す断面図及び斜視図（その４）である。
【図５】図５（ａ）〜（ｃ）は第１実施形態のリードフレームの製造方法を示す平面図及び断面図（その５）である。
【図６】図６は第１実施形態のリードフレームを示す平面図である。
【図７】図７は第１実施形態の変形例のリードフレームを示す平面図である。
【図８】図８（ａ）及び（ｂ）は図６のリードフレームを使用して半導体装置を製造する方法を示す平面図及び断面図（その１）である。
【図９】図９（ａ）及び（ｂ）は図６のリードフレームを使用して半導体装置を製造する方法を示す平面図及び断面図（その２）である。
【図１０】図１０は第１実施形態の半導体装置を示す断面図である。
【図１１】図１１は第２実施形態のリードフレームの製造方法を示す断面図及び斜視図（その１）である。
【図１２】図１２（ａ）〜（ｃ）は第２実施形態のリードフレームの製造方法を示す平面図及び断面図（その２）である。
【図１３】図１３は第２実施形態のリードフレームの製造方法を示す断面図（その３）である。
【図１４】図１４（ａ）〜（ｃ）は第２実施形態のリードフレームの製造方法を示す平面図及び断面図（その４）である。
【図１５】図１５は第２実施形態のリードフレームを示す平面図である。
【図１６】図１６は第２実施形態の変形例のリードフレームを示す平面図である。
【発明を実施するための形態】
【００１３】
以下、実施の形態について、添付の図面を参照して説明する。
【００１４】
（第１実施形態）
図１〜図５は第１実施形態のリードフレームの製造方法を示す図、図６は第１実施形態のリードフレームを示す図である。
【００１５】
第１実施形態のリードフレームの製造方法では、まず、図１（ａ）の平面図に示すようなリードフレーム部材１ｘを用意する。リードフレーム部材１ｘは、平行に延在する一対の外枠８と、この一対の外枠８に直交して連結する一対の内枠９とによって形成された枠構造を有する。
【００１６】
この枠構造の中央部には四角状のダイパッド１０が配置されている。さらに、ダイパッド１０の四隅にはそれに繋がって外側に延在するサポートバー１２が形成されており、サポートバー１２は外枠８に繋がっている。
【００１７】
このようにして、ダイパッド１０は、サポートバー１２によって外枠８に繋がって支持された状態となっている。
【００１８】
また、ダイパッド１０の外側には、それから分離した状態で複数のインナーリード１６が外側に延在して形成されている。複数のインナーリード１６はダムバー１８で連結されており、各インナーリード１６には、外側に延在するアウターリード２０がそれぞれ繋がって形成されている。ダムバー１８は外枠８に繋がって支持されており、アウターリード２０は内枠９に繋がって支持されている。
【００１９】
このようにして、インナーリード１６は、ダムバー１８及びアウターリード２０を介して外枠８及び内枠９に支持されている。
【００２０】
ダイパッド１０と外枠８とを連結するサポートバー１２はダイパッド１０との連結部で屈曲して傾斜している。これにより、図１（ｂ）に示すように、ダイパッド１０はインナーリード１６及びアウターリード２０より下側の位置に配置されている。図１（ｂ）は図１（ａ）のＡ−Ａ’に沿った断面図である。
【００２１】
図１（ａ）のリードフレーム部材１ｘは、銅（Ｃｕ）合金板などの金属板を金型によるプレス加工で打ち抜き加工することにより製造される。あるいは、金属板をフォトリソグラフィ及びウェットエッチングでパターニングすることにより製造することも可能である。
【００２２】
リードフレーム部材１ｘの厚みは、例えば、０．１２５ｍｍ〜０．２５ｍｍである。
【００２３】
次に説明する図２〜図５では、リードフレーム部材１ｘのダイパッド１０を部分的に示して説明する。
【００２４】
図２に示すように、押え部材３２と第１ポンチ３４を備えた金型３０を用意する。図２の斜視図を加えて参照すると、金型３０の第１ポンチ３４の形状は台形柱を横置きにした形状であり、台形柱の幅方向Ｗの両側の面が内部に傾斜する傾斜側面３４ａとなっており、台形柱の高さ方向Ｈの両側の面が起立側面３４ｂとなっている。
【００２５】
そして、図１（ａ）のリードフレーム部材１ｘの表裏を反転させてダイパッド１０の裏面を上側にした状態で、ダイパッド１０を金型３０の押え部材３２の上に配置する。さらに、ダイパッド１０の裏面を第１ポンチ３４で下側に押圧して第１のプレス加工を行う。
【００２６】
これより、図３（ａ）の平面図に示すように、ダイパッド１０の裏面に第１ポンチ３４の形状に対応する第１ディンプルＤ１が形成される。第１ディンプルＤ１は平面視して矩形状で形成される。また、第１ディンプルＤ１は台形柱を横置きにした形状の凹部として形成される。
【００２７】
図３（ｂ）は図３（ａ）のＢ−Ｂ’に沿った断面図である。図３（ｂ）を加えて参照すると、第１ディンプルＤ１は、幅方向の対向する２辺に第１ポンチ３４の起立側面３４ｂに対応して深さ方向に起立する起立側面ＶＳを備えて形成される。
【００２８】
起立側面ＶＳは、第１ディンプルＤ１の深部側から表面側まで幅方向の幅Ｗ１がほぼ同一になるように立設している。第１ディンプルＤ１の起立側面ＶＳは垂直面であることが好ましいが、多少傾いていてもよい。
【００２９】
図３（ｃ）は図３（ａ）のＣ−Ｃ’に沿った断面図である。図３（ｃ）を加えて参照すると、第１ディンプルＤ１は、長手方向の対向する２辺に第１ポンチ３４の傾斜側面３４ａに対応して深さ方向に傾斜する第１傾斜側面Ｓ１を備えて形成される。第１傾斜側面Ｓ１は、第１ディンプルＤ１の深部側から表面側になるにつれて長手方向の幅Ｗ２が広くなるように傾斜して配置される。
【００３０】
このようにして、第１ディンプルＤ１は、一方の対向する２辺に深さ方向に傾斜する第１傾斜側面Ｓ１を備え、他方の対向する２辺に深さ方向に起立する起立側面ＶＳとを備えて形成される。
【００３１】
図３（ａ）の矩形状の第１ディンプルＤ１では、対向する２つの第１傾斜側面Ｓ１を結ぶ方向が長手方向となっており、対向する２つの起立側面ＶＳを結ぶ方向が幅方向となっている。
【００３２】
例えば、図３（ａ）において、第１ディンプルＤ１の長手方向の長さｘが９０μｍ程度であり、幅ｙが５０μｍ程度であり、図３（ｂ）において、深さｄは２５μｍ程度である。
【００３３】
なお、図３（ａ）の例では、第１ディンプルＤ１の形状として、平面視して矩形状としているが、平面視して正方形で形成してもよい。
【００３４】
次いで、図４に示すように、金型３０の第２ポンチ３６を用意する。図４の斜視図を加えて参照すると、第２ポンチ３６の形状は四角錐を上下反転させた形状であり、下面側に４つの傾斜側面３６ａを備えている。そして、ダイパッド１０の裏面において第１ディンプルＤ１の起立側面ＶＳの横領域を第２ポンチ３６で下側に押圧して第２のプレス加工を行う。
【００３５】
これにより、図５（ａ）の平面図に示すように、ダイパッド１０の裏面において、第１ディンプルＤ１の幅方向の両側の起立側面ＶＳ（図４）の横領域に第２ディンプルＤ２がそれぞれ形成される。第２ディンプルＤ２は、第２ポンチ３６の傾斜側面３６ａに対応する第２傾斜側面Ｓ２を備え、四角錐を上下反転させた形状の凹部として形成される。第２ディンプルＤ２の開口寸法は、例えば、５０μｍ□で形成される。
【００３６】
図５（ｂ）は図５（ａ）のＤ−Ｄ’に沿った断面図である。図５（ｂ）を加えて参照すると、第１ディンプルＤ１の起立側面ＶＳ（図４）は、第２ディンプルＤ２の第２傾斜側面Ｓ２が形成される際に、第１ディンプルＤ１の内側に押されて変形して、第１傾斜側面Ｓ１と逆方向に傾斜する逆傾斜側面Ｓｘとなる。
【００３７】
第１ディンプルＤ１の起立側面ＶＳ（図４）は、第２ディンプルＤ２が形成される際に、第２ポンチ３６の傾斜側面３６ａによって深部側から表面側になるにつれて内側に大きく押されるため、逆傾斜側面Ｓｘとなる。
【００３８】
図５（ｃ）は図５（ａ）のＥ−Ｅ’に沿った断面図である。図５（ｃ）を加えて参照すると、第１ディンプルＤ１の幅方向の両側に第２ディンプルＤ２が形成されるため、第１ディンプルＤ１の長手方向の第１傾斜側面Ｓ１は変形せずにそのままの状態で残される。
【００３９】
このようにして、第１ディンプルＤ１の起立側面ＶＳの横領域に、第２ディンプルＤ２の第２傾斜側面Ｓ２が配置されるように、ダイパッド１０の裏面に第２ディンプルＤ２を形成する。これにより、第１ディンプルＤ１の起立側面ＶＳを第１傾斜側面Ｓ１と逆方向に傾斜する逆傾斜側面Ｓｘに容易に変形させることができる。
【００４０】
以上により、第１ディンプルＤ１は表面側の幅Ｗ１が深部側の幅Ｗ２より狭い形状にとなり、ダイパッド１０を封止樹脂で封止する際に大きなアンカー効果が得られるようになる。
【００４１】
図５（ａ）の例のように第１ディンプルＤ１の起立側面ＶＳの一部を逆傾斜側面Ｓｘとしてもよいし、あるいは、起立側面ＶＳの全体を逆傾斜側面Ｓｘとしてもよい。
【００４２】
図５（ａ）の例のように、第１ディンプルＤ１の起立側面ＶＳの中央部を逆傾斜側面Ｓｘとする場合は、両側の第１傾斜側面Ｓ１の端部側に起立側面が残った状態となる。この場合は、第１ディンプルＤ１内に封止樹脂を充填する際に樹脂の流入口を広く確保できるという観点で有利になる。
【００４３】
また、第２ディンプルＤ２の形状は、第１ディンプルＤ１の起立側面ＶＳを逆傾斜側面Ｓｘとすることができる形状であればよく、各種の形状を採用することができる。前述した形態のように、第２傾斜側面Ｓ２を備えた第２ディンプルＤ２を形成することが好ましい。
【００４４】
以上のプレス加工の方法に基づいて、図６に示すように、まず、ダイパッド１０の裏面全体に多数の第１ディンプルＤ１が形成される、その後に、各第１ディンプルＤ１の横領域のダイパッド１０に第２ディンプルＤ２が形成されて、各第１ディンプルＤ１に逆傾斜側面Ｓｘが形成される。
【００４５】
これにより、第１実施形態のリードフレーム１が得られる。図５（ａ）及び図６に示すように、第１実施形態のリードフレーム１では、ダイパッド１０の裏面に矩形状の第１ディンプルＤ１が形成されている。
【００４６】
第１ディンプルＤ１は、一方の対向する２辺に深さ方向に傾斜する第１傾斜側面Ｓ１を備え、他方の対向する２辺に第１傾斜側面Ｓ１と逆方向の深さ方向に傾斜する逆傾斜側面Ｓｘを備えている。
【００４７】
さらに、第１ディンプルＤ１の横領域のダイパッド１０に第２ディンプルＤ２が形成されている。第２ディンプルＤ２は、深さ方向に傾斜した第２傾斜側面Ｓ２を備え、その第２傾斜側面Ｓ２が第１ディンプルＤ１の逆傾斜側面Ｓｘと対向して配置されている。そして、ダイパッド１０の表面が半導体素子搭載面となっている。
【００４８】
図６において、第１ディンプルＤ１の配置角度に注目すると、Ａ部に配置された第１ディンプルＤ１は、その長手方向が横方向Ｈから４５°傾斜して、斜め右上を向いて配置されている。一方、Ｂ部に配置された第１ディンプルＤ１は、その長手方向が横方向Ｈから４５°傾斜して、斜め左上を向いて配置されている。
【００４９】
このように、隣り合う第１ディンプルＤ１は、傾斜する向きが相互に９０°ずれており、それらの長手方向の向きが直交するように配置されている。
【００５０】
本実施形態では、ダイパッド１０をプレス加工で潰して第１、第２ディンプルＤ１，Ｄ２を形成するため、特にプレス加工する面積が大きい場合に、ダイパッド１０にひずみが生じてダイパッド１０が反ってしまうことがある。
【００５１】
図６のように、隣り合う第１ディンプルＤ１の配置角度を９０°ずらして設定することにより、プレス加工時に発生するひずみが相殺されてダイパッド１０の反りの発生を軽減することができる。
【００５２】
図６では、好適な例として、各第１ディンプルＤ１の配置方向を横方向Ｈから４５°傾け、かつ隣り合う第１ディンプルＤ１の配置方向が直交するように配置されているが、複数の第１ディンプルＤ１の間で配置角度が異なるようにすればよい。
【００５３】
図７には、第１実施形態の変形例のリードフレーム１ａが示されている。図７の変形例のリードフレーム１ａのように、プレス加工によるひずみの発生が問題にならない場合は、第１ディンプルＤ１の長手方向を同一方向に向けて配置してもよい。
【００５４】
図７の例では、全ての第１ディンプルＤ１の長手方向が横方向Ｈから４５°傾斜して斜め右上を向いて配置されている。変形例のリードフレーム１ａでは、全ての第１ディンプルＤ１の長手方向の配置方向が同一方向を向いていればよく、任意の方向に配置することができる。
【００５５】
次に、第１実施形態の図６のリードフレーム１を使用して半導体装置を製造する方法について説明する。
【００５６】
図８（ａ）及び（ｂ）に示すように、まず、前述した図６のように、ダイパッド１０の裏面に第１、第２ディンプルＤ１，Ｄ２が形成されたリードフレーム１を用意する。
【００５７】
リードフレーム１では、第１、第２ディンプルＤ１，Ｄ２が形成された面と反対面（表面）が半導体素子搭載面となっている。そして、ダイパッド１０の部品搭載面に、半導体素子４０の接続電極４０ａを上側にして接着剤によって半導体素子４０を固着して実装する。
【００５８】
その後に、半導体素子４０の接続電極４０ａとインナーリード１６とをワイヤボンディングによるワイヤ４２によってそれぞれ接続する。図８（ｂ）は図８（ａ）のＡ−Ａ’に沿った断面図である。
【００５９】
次いで、図９（ａ）に示すように、半導体素子４０が実装されたリードフレーム１をモールド型の下型及び上側（不図示）で挟み込み、モールドゲート部から封止樹脂をモールド型の中に流入する。これにより、ダイパッド１０の両面、半導体素子４０、ワイヤ４２、インナーリード１６を封止する樹脂部５０が形成される。
【００６０】
図９（ａ）では、樹脂部５０は透視的に描かれており、太線で囲まれた四角領域に形成される。樹脂部５０は、その外側にダムバー１８及びアウターリード２０が露出するようにして形成される。
【００６１】
図９（ｂ）は図９（ａ）のダイパッド１０の裏面の様子を示す拡大断面図である。図９（ｂ）に示すように、第１実施形態のリードフレーム１では、前述したようにダイパッド１０の裏面に設けられた第１ディンプルＤ１が逆傾斜側面Ｓｘを備えている。これにより、樹脂部５０は第１ディンプルＤ１の逆傾斜側面Ｓｘに沿って側壁に食い込むように充填される。
【００６２】
このようにして、樹脂部５０は第１ディンプルＤ１内から抜け落ちないように固定されるので、アンカー効果が大きくなり、樹脂部５０がダイパッド１０の裏面に密着性よく形成される。
【００６３】
また、第１実施形態の図６のリードフレーム１では、第１ディンプルＤ１はその長手方向の側面が順テーパーの第１傾斜側面Ｓ１（図５（ａ）及び（ｃ））となっている。このため、ダイパッド１０の両面側を樹脂部５０で封止する際に、第１ディンプルＤ１の長手方向と同一の方向から封止樹脂を流入することにより、第１ディンプルＤ１内に封止樹脂をスムーズに流入させることができる。
【００６４】
図６のリードフレーム１では、隣り合う第１ディンプルＤ１は、それらの長手方向が直交するように配置されて、傾斜する向きが９０°ずれている。しかし、封止樹脂はモールド型内で端部に回り込んだ後に内部に流入する傾向があるため、９０°ずれて配置された第１ディンプルＤ１においても第１傾斜側面Ｓ１から封止樹脂をスムーズに流入させることができる。
【００６５】
以上のように、図６のリードフレーム1では、複数の長手状の第１ディンプルＤ１の間で配置方向を変えているため、プレス加工時のダイパッド１０の反りの発生を軽減することができる。
【００６６】
これに加えて、第１ディンプルＤ１は、封止樹脂の流入をスムーズにするための第１傾斜側面Ｓ１と、アンカー効果を大きくするための逆傾斜側面Ｓｘと備えている。これにより、第１ディンプルＤ１内に封止樹脂を信頼性よく安定して充填することができるため、十分なアンカー効果を得ることができ、樹脂部５０の密着性を向上させることができる。
【００６７】
次いで、リードフレーム１から外枠８及び内枠９を切り離すと共に、ダムバー１８を切断することにより、複数の分離されたインナーリード１６及びアウターリード２０を得る。
【００６８】
以上により、図１０に示すように、第１実施形態の半導体装置５が得られる。
【００６９】
図１０に示すように、第１実施形態の半導体装置５では、図６のリードフレーム１から得られるダイパッド１０、インナーリード１６及びアウターリード２０を備えている。ダイパッド１０の上には半導体素子４０が実装され、半導体素子４０の接続電極４０ａがワイヤ４２を介してインナーリード１６にそれぞれ接続されている。さらに、ダイパッド１０の両面、半導体素子４０、ワイヤ４２及びインナーリード１６が樹脂部５０によって封止されている。
【００７０】
第１実施形態の半導体装置５では、前述したように、ダイパッド１０の裏面に逆傾斜側面Ｓｘを備えた第１ディンプルＤ１が設けられている。このため、アンカー効果が大きくなって、ダイパッド１０の裏面の樹脂部５０の密着性が向上し、高い信頼性が得られる。
【００７１】
（第２実施形態）
図１１〜図１４は第２実施形態のリードフレームの製造方法を示す図、図１５は第２実施形態のリードフレームを示す図である。第２実施形態が第１実施形態と異なる点は、ダイパッドの裏面に形成する第１ディンプルの形状を横置き台形柱形状の代わりに横置き三角柱形状とすることである。
【００７２】
第２実施形態では、第１実施形態と同一要素及び同一工程については、同一符号を付してその詳しい説明を省略する。
【００７３】
第２実施形態のリードフレームの製造方法では、まず、図１１に示すように、押え部材３２と第３ポンチ３８を備えた金型３０を用意する。図１１の斜視図に示すように、金型３０の第３ポンチ３８の形状は、三角柱を横置きにした形状である。
【００７４】
第３ポンチ３８では、三角柱の２つの側面が下側を向いて２つの傾斜側面３８ａとなっている。また、第３ポンチ３８では、三角柱の高さ方向Ｈの両面が起立側面３８ｂとなっている。
【００７５】
そして、第１実施形態と同様に、図１（ａ）のリードフレーム部材１ｘのダイパッド１０の裏面を上側にした状態で、ダイパッド１０を金型３０の押え部材３２の上に配置する。続いて、ダイパッド１０の裏面を第３ポンチ３８で下側に押圧して第１のプレス加工を行う。
【００７６】
これにより、図１２（ａ）の平面図に示すように、ダイパッド１０の裏面に第３ポンチ３８の形状に対応する第１ディンプルＤ１ｘが形成される。第１ディンプルＤ１ｘは平面視して矩形状で形成される。また、第１ディンプルＤ１ｘは三角柱を横置きにした形状の凹部として形成される。
【００７７】
図１２（ｂ）は図１２（ａ）のＦ−Ｆ’に沿った断面図である。図１２（ｂ）を加えて参照すると、第１ディンプルＤ１ｘは、幅方向の対向する２辺に第３ポンチ３８の起立側面３８ｂに対応する起立側面ＶＳを備えて形成される。
【００７８】
図１２（ｃ）は図１２（ａ）のＧ−Ｇ’に沿った断面図である。図１２（ｃ）を加えて参照すると、第１ディンプルＤ１ｘは、長手方向の対向する２辺に第３ポンチ３８の傾斜側面３８ａに対応する第１傾斜側面Ｓ１を備えて形成される。
【００７９】
このようにして、第１ディンプルＤ１ｘは、一方の対向する２辺に深さ方向に傾斜する第１傾斜側面Ｓ１を備え、他方の対向する２辺に深さ方向に起立する起立側面ＶＳとを備えて形成される。
【００８０】
第２実施形態においても、第１ディンプルＤ１ｘの形状として、平面視して矩形状の他に、平面視して正方形であってもよい。
【００８１】
次いで、図１３に示すように、第１実施形態の図４の工程と同様に、金型３０の第２ポンチ３６により、ダイパッド１０の裏面において第１ディンプルＤ１ｘの起立側面ＶＳの横領域のダイパッド１０を下側に押圧して第２のプレス加工を行う。
【００８２】
これにより、図１４（ａ）の平面図に示すように、ダイパッド１０の裏面において第１ディンプルＤ１ｘの両側の起立側面ＶＳ（図１３）の横領域に第２ディンプルＤ２がそれぞれ形成される。第２ディンプルＤ２は、第２ポンチ３６の形状に対応して四角錐を上下反転させた形状の凹部として形成される。
【００８３】
図１４（ｂ）は図１４（ａ）のＨ−Ｈ’に沿った断面図である。図１４（ｂ）を加えて参照すると、第１実施形態の図５（ｂ）と同様に、第１ディンプルＤ１ｘの起立側面ＶＳ（図１３）は、第２ディンプルＤ２の第２傾斜側面Ｓ２が形成される際に、第１ディンプルＤ１ｘの内側に押されて変形して逆傾斜側面Ｓｘとなる。
【００８４】
このようにして、第１実施形態と同様に、第１ディンプルＤ１ｘの起立側面ＶＳの横領域に、第２ディンプルＤ２の第２傾斜側面Ｓ２が配置されるように、ダイパッド１０の裏面に第２ディンプルＤ２を形成する。これにより、第１ディンプルＤ１ｘの起立側面ＶＳを第１傾斜側面Ｓ１と逆方向に傾斜する逆傾斜側面Ｓｘに容易に変形させることができる。
【００８５】
以上により、第１実施形態と同様に、第１ディンプルＤ１ｘの幅方向の横領域に第２ディンプルＤ２を形成することにより、第１ディンプルＤ１ｘの表面側の幅Ｗ１が深部側の幅Ｗ２より狭くなるようにする。
【００８６】
図１４（ｃ）は図１４（ａ）のＩ−Ｉ’に沿った断面図である。図１４（ｃ）を加えて参照すると、第１ディンプルＤ１ｘの幅方向の両側に第２ディンプルＤ２が形成されるため、第１ディンプルＤ１ｘの長手方向の第１傾斜側面Ｓ１は変形せずにそのままの状態で残される。
【００８７】
このようにして、第１実施形態と同様に、横置き三角柱形状の第１ディンプルＤ１ｘの幅方向の両側面の一部に逆傾斜側面Ｓｘを容易に形成することができる。
【００８８】
第１実施形態と同様に、以上のプレス加工の方法に基づいて、図１５に示すように、ダイパッド１０の裏面全体に多数の第１ディンプルＤ１ｘが形成される、その後に、各第１ディンプルＤ１ｘの横領域のダイパッド１０に第２ディンプルＤ２が形成されて、各第１ディンプルＤ１ｘに逆傾斜側面Ｓｘが形成される。
【００８９】
これにより、図１５に示すように、第２実施形態のリードフレーム２が得られる。図１４（ａ）及び図１５に示すように、第２実施形態のリードフレーム２では、ダイパッド１０の裏面に矩形状の第１ディンプルＤ１ｘが形成されている。
【００９０】
第１ディンプルＤ１ｘは、一方の対向する２辺に深さ方向に傾斜する第１傾斜側面Ｓ１を備え、他方の対向する２辺に第１傾斜側面Ｓ１と逆方向の深さ方向に傾斜する逆傾斜側面Ｓｘを備えている。
【００９１】
さらに、第１ディンプルＤ１ｘの横領域のダイパッド１０に第２ディンプルＤ２が形成されている。第２ディンプルＤ２は、深さ方向に傾斜した第２傾斜側面Ｓ２を備え、その第２傾斜側面Ｓ２が第１ディンプルＤ１ｘの逆傾斜側面Ｓｘと対向して配置されている。そして、ダイパッド１０の表面が半導体素子搭載面となっている。
【００９２】
図１５のリードフレーム２は、第１実施形態の図６のリードフレーム１と同様に、隣り合う第１ディンプルＤ１ｘは、それらの長手方向が直交するように配置されて傾斜する向きが９０°ずれている。
【００９３】
第２実施形態のリードフレーム２は第１実施形態と同様な効果を奏する。
【００９４】
図１６には、第２実施形態の変形例のリードフレーム２ａが示されている。図１６の変形例のリードフレーム２ａのように、第１実施形態の図７と同様に、プレス加工によるひずみの発生が問題にならない場合は、第１ディンプルＤ１ｘの長手方向を同一方向に向けて配置してもよい。
【００９５】
第２実施形態のリードフレーム２，２ａにおいても、第１実施形態の図８〜図９の工程を遂行することにより、同様な半導体装置を製造することができる。
【符号の説明】
【００９６】
１ｘ…リードフレーム部材、１，１ａ，２，２ａ…リードフレーム、５…半導体装置、８…外枠、９…内枠、１０…ダイパッド、１２…サポートバー、１６…インナーリード、１８…ダムバー、２０…アウターリード、３０…金型、３２…押え部材、３４…第１ポンチ、３４ａ，３６ａ，３８ａ…傾斜側面、３４ｂ，３８ｂ，ＶＳ…起立側面、３６…第２ポンチ、３８…第３ポンチ、４０…半導体素子、４０ａ…接続電極、４２…ワイヤ、５０…樹脂部、Ｄ１，Ｄ１ｘ…第１ディンプル、Ｄ２…第２ディンプル、Ｓ１…第１傾斜側面、Ｓ２…第２傾斜側面、Ｓｘ…逆傾斜側面。
【図１】
0005833459.tif 000002
【図２】
0005833459.tif 000003
【図３】
0005833459.tif 000004
【図４】
0005833459.tif 000005
【図５】
0005833459.tif 000006
【図６】
0005833459.tif 000007
【図７】
0005833459.tif 000008
【図８】
0005833459.tif 000009
【図９】
0005833459.tif 000010
【図１０】
0005833459.tif 000011
【図１１】
0005833459.tif 000012
【図１２】
0005833459.tif 000013
【図１３】
0005833459.tif 000014
【図１４】
0005833459.tif 000015
【図１５】
0005833459.tif 000016
【図１６】
0005833459.tif 000017